(57)【要約】【課題】視認性を向上させるとともに、使用者等の発光演出態様に対する興趣をさらに高める発光演出が可能な携帯ライトを提供する。【解決手段】棒状発光部（棒状発光部２００）を有する携帯ライトであって、前記棒状発光部（棒状発光部２００）の内部には、該棒状発光部（棒状発光部２００）の延長方向に亘って発光体（ＬＥＤ４１１）が所定間隔で複数配置され、前記複数配置された発光体（ＬＥＤ４１１）は、複数の発光態様で発光可能であり、前記棒状発光部（棒状発光部２００）の延長方向において各々異なる発光態様で発光可能とされることを特徴とする。【選択図】図３
2020077459.tif 000002
【特許請求の範囲】
【請求項１】
棒状発光部を有する携帯ライトであって、
前記棒状発光部の内部には、該棒状発光部の延長方向に亘って発光体が所定間隔で複数配置され、
前記複数配置された発光体は、複数の発光態様で発光可能であり、前記棒状発光部の延長方向において各々異なる発光態様で発光可能とされる
ことを特徴とする携帯ライト。
【発明の詳細な説明】
【技術分野】
【０００１】
本発明は、いわゆるペンライト等の携帯することが可能な携帯ライトに関するものである。
【背景技術】
【０００２】
近年、コンサートなどを含むイベント活動の場において、各参加者が発光する携帯型のライトを振り、イベントの場を盛り上げるという演出が行われ、そこで使用されるライトには、特許文献１に開示されているような発光ダイオードを光源とするものが使用されている。
【先行技術文献】
【特許文献】
【０００３】
【特許文献１】特開２０１４−１９９７７２号公報
【発明の概要】
【発明が解決しようとする課題】
【０００４】
上記特許文献１に開示されたようなライトは、発光ダイオードの発光色を変化させたり点滅させたり等できるものの、特許文献１の図２の断面図に示されるように、単一の発光ダイオードによって行われる単調な発光演出となっていた。
【０００５】
また、特許文献１に開示されているような従来型のライトは、胴体部（特許文献１の図１における胴体部１０１）の光源に近い部分は明るく視認されるものの、先端方向に向かうにつれて光源である発光ダイオードから離れるため、上記胴体部の先端付近は暗くなってしまうという課題があった。
【０００６】
本発明は、視認性を向上させるとともに使用者等の発光演出態様に対する興趣をさらに高める発光演出が可能な携帯ライトを提供することを目的とする。
【課題を解決するための手段】
【０００７】
（１）棒状発光部（棒状発光部２００）を有する携帯ライトであって、前記棒状発光部（棒状発光部２００）の内部には、該棒状発光部（棒状発光部２００）の延長方向に亘って発光体（ＬＥＤ４１１）が所定間隔で複数配置され、前記複数配置された発光体（ＬＥＤ４１１）は、複数の発光態様で発光可能であり、前記棒状発光部（棒状発光部２００）の延長方向において各々異なる発光態様で発光可能とされることを特徴とする携帯ライト。
【０００８】
上記（１）の構成によれば、棒状発光部（棒状発光部２００）の延長方向に亘って所定間隔で複数配置された発光体（ＬＥＤ４１１）が、それぞれ異なる明るさや色、さらには明るさや色が変化するなど、様々な発光態様で発光可能であり、従来にはない、極めて発光バリエーションに富んだ発光演出が可能となる。
【発明の効果】
【０００９】
本発明によれば、視認性を向上させるとともに、使用者等の発光演出態様に対する興趣をさらに高める発光演出が可能な携帯ライトを提供することが可能となる。
【図面の簡単な説明】
【００１０】
【図１】本実施形態における携帯ライトの正面斜視図である。
【図２】本実施形態における携帯ライトの背面斜視図である。
【図３】本実施形態における棒状発光部内の斜視図である。
【図４】本実施形態における棒状発光部の分解斜視図である。
【図５】本実施形態におけるＬＥＤ基板の配置態様を示す上方斜視図である。
【図６】本実施形態におけるＬＥＤ基板の配置態様を示す下方斜視図である。
【図７】本実施形態における筒先端カバー部材が筒先端装飾部に交換された携帯ライトの正面斜視図である。
【図８】本実施形態における筒先端装飾部の下方斜視図である。
【図９】本実施形態における筒先端装飾部の分解斜視図である。
【図１０】本実施形態における筒先端装飾部の取付け態様を示す斜視図である。
【図１１】本実施形態における筒先端装飾部の取付け態様を示す斜視図である。
【図１２】本実施形態における筒先端装飾部の取付け態様を示す断面図である。
【図１３】本実施形態における把持部の正面分解斜視図である。
【図１４】本実施形態における把持部の背面分解斜視図である。
【図１５】本実施形態における把持部内の構造を示す正面斜視図である。
【図１６】本実施形態における把持部内の構造を示す背面斜視図である。
【図１７】本実施形態における把持部内の構造を示す正面分解斜視図である。
【図１８】本実施形態における把持部内の構造を示す背面分解斜視図である。
【図１９】本実施形態のＬＥＤ基板における制御ドライバの設置態様を説明する平面図である。
【図２０】本実施形態におけるＬＥＤ基板の平面図である。
【図２１】本実施形態のＬＥＤ基板におけるノイズ対策の方法を説明する回路図の一部である。
【図２２】本実施形態における操作態様と発光制御の関係を示す一覧表である。
【図２３】別実施形態における携帯ライトの把持部の正面斜視図である。
【図２４】別実施形態における把持部の正面分解斜視図である。
【図２５】別実施形態における把持部内の構造を示す正面分解斜視図である。
【図２６】別実施形態におけるＬＥＤ基板の下方斜視図である。
【図２７】別実施形態におけるＬＥＤ基板の上方斜視図である。
【発明を実施するための形態】
【００１１】
本発明の携帯ライトの各実施の態様について、図面にもとづいて以下に詳細に説明する。
【００１２】
本発明における一実施形態の携帯ライト１について、図１〜図２２を参照して以下に説明する。
【００１３】
図１には本実施形態における携帯ライト１の一例が正面斜視図によって図示されている。図示されるように、本実施形態の携帯ライト１は、主に使用者によって握られる把持部１００と、発光態様を視認することが可能な棒状発光部２００とから構成されている。
【００１４】
そして把持部１００には、ストラップ等を取り付けることができるストラップ孔１３０と、発光制御のモード変更（各種動作状態モード及び待機モード）および発光態様の切り替え操作が可能な第１操作ボタン１１０と第２操作ボタン１２０とが設けられている。
【００１５】
また、把持部１００の上部には環状の環状装飾部材３００が嵌め込まれ、当該環状装飾部材３００の正面側には、特定のキャラクタの形状を模した板状の装飾部材３１０が取り付けられている。そして、上記環状装飾部材３００の先には、棒状発光部２００を構成する筒状の透明樹脂により成形された透明筒状部材２１０が配置され、当該透明筒状部材２１０の先端には筒先端カバー部材２４０が取り付けられている。
【００１６】
続いて、図２には携帯ライト１の背面斜視図が図示されている。図示されるように、把持部１００の背面には、当該把持部１００の内部で発生する熱を外部に排出することが可能な４つの排熱口１５２が形成され、また、電源となる乾電池の収容部分を保護する電源保護カバー部材１６０が取り付けられている。なお、本実施形態では後述するように３本の単４乾電池を電源としているが、把持部１００の内部に蓄電池を配置し、併せて充電用端子を把持部１００に設けるようにすることも可能である。
【００１７】
続いて、図３には携帯ライト１において棒状発光部２００を環状装飾部材３００から取り外した状態が斜視図で図示されている。具体的には、図１３及び図１４の分解斜視図に示されるように、把持部１００を構成する前方保護部材１４０の上方内側には前方嵌合溝部１４１が、後方保護部材１５０の上方内側には後方嵌合溝部１５３がそれぞれ形成されており、棒状発光部２００の端部に形成された嵌合突状部２１６と螺合することにより、棒状発光部２００と把持部１００とが接続されるように構成されている。そして、図３に示されるように、本実施形態の棒状発光部２００の内部には、当該棒状発光部２００の長手方向に亘って１枚のＬＥＤ基板４１０が設けられており、当該ＬＥＤ基板４１０の正面側及び背面側には、それぞれ６個のＬＥＤ４１１と、１個の先端ＬＥＤ４１５が図示されるように配置されている。
【００１８】
また、図４には携帯ライト１における棒状発光部２００の分解斜視図が図示されている。図示されるように、棒状発光部２００は左側筒構成部材２１２と右側筒構成部材２１４とが嵌め合わせられることで筒状に構成されている。すなわち、左側筒構成部材２１２に複数形成された筒係合突起２１８と、右側筒構成部材２１４に形成された図示しない係合部が係合して、両部材が筒状に嵌め合わせられるように構成されている。
【００１９】
また、左側筒構成部材２１２及び右側筒構成部材２１４の下端側には、把持部１００の上方内側に形成された、前方嵌合溝部１４１及び後方嵌合溝部１５３と嵌合するための嵌合突状部２１６がそれぞれ形成されている。
【００２０】
さらに、図４及び図５等に図示されるように、左側筒構成部材２１２および右側筒構成部材２１４の上端側には、基板固定部材係止部２１３がそれぞれ形成されており、図示される先端基板固定部材２１５が嵌合するように構成されている。上記先端基板固定部材２１５の詳細については図６に基づいて後述するが、中心部に開口を有するとともに、ＬＥＤ基板４１０の先端部を係止して保持している。また、当該先端基板固定部材２１５は白色の樹脂を成形したものであり、特に近傍にあるＬＥＤ４１１や先端ＬＥＤ４１５から発せられる光を効率的に反射するように構成されている。
【００２１】
また、左側筒構成部材２１２および右側筒構成部材２１４が嵌め合わされて筒状に形成された透明筒状部材２１０の内部には、シート状の光拡散シート２３０が当該透明筒状部材２１０の内面に沿って配置され、さらに、当該透明筒状部材２１０の上端部には筒先端カバー部材２４０が取り付けられている。本実施形態で使用される光拡散シート２３０は、光透過性を有する樹脂シートからなり、点光源であるＬＥＤ４１１からの光を十分に拡散させるために、約５ｍｍ四方で鉛直方向に形成された複数の溝と、約５ｍｍ四方で水平方向に形成された複数の溝を、市松模様の如く上記樹脂シートの外面側に形成している。このような光拡散シート２３０を使用することにより、棒状発光部２００においてムラのない発光態様を視認させることが可能となっている。
【００２２】
また、左側筒構成部材２１２および右側筒構成部材２１４の上部には、筒先端カバー部材２４０の外周端部と嵌合する先端カバー嵌合凹部２１１と、図６に示されるよう筒先端カバー部材２４０の背面に形成された先端カバー係止突部２４１が係合する先端カバー係止開口２１９が形成されている。このような構成により、筒先端カバー部材２４０を取り付ける際は、先端カバー係止突部２４１を先端カバー係止開口２１９に挿入してさらに回転させることで、筒先端カバー部材２４０が透明筒状部材２１０に係止されるように構成されている。これにより、ビスなどの固着部材を使用することなく容易に筒先端カバー部材２４０を取り付けることが可能となる。
【００２３】
本実施形態の筒先端カバー部材２４０における透明筒状部材２１０との嵌合部分には、図６に示される１対のカバー位置決め突起５１１が、上記筒先端カバー部材２４０の正面側と背面側に対応する位置に形成されており、図５の分解斜視図に示される、透明筒状部材２１０の先端カバー嵌合凹部２１１に形成された位置決め突起係止部５１３に係止されるように構成されている。これにより、携帯ライト１の正面と筒先端カバー部材２４０の正面とが一致するようになっている。
【００２４】
また、本実施形態の上記筒先端カバー部材２４０には、図示していなが、その円形の外表面にキャラクタの絵柄が描かれている。そして、当該絵柄に対応する部分は透光性を有し、その他の部分は不透光の塗膜が施されている。このような構成により、透明筒状部材２１０の内部に配置された側面発光型の先端ＬＥＤ４１５からの光によって、筒先端カバー部材２４０の裏側が照らされ、クッキリとキャラクタの絵柄が外部から視認できるようになっている。
【００２５】
続いて、図５および図６には、棒状発光部２００における透明筒状部材２１０の分解斜視図が示され、当該透明筒状部材２１０の内部におけるＬＥＤ基板４１０の設置態様が図示されている。本実施例では正面側及び背面側に、それぞれ６個のＬＥＤ４１１と、１個の先端ＬＥＤ４１５とを備えた１枚のＬＥＤ基板４１０が透明筒状部材２１０の内部に配置されており、当該ＬＥＤ基板４１０の先端部は図示されるように先端基板固定部材２１５に係止されている。
【００２６】
すなわち、図６の斜視図に図示されるように、先端基板固定部材２１５の下面側には、下方に傍出する先端基板保持部２１５１が形成されて、さらに当該先端基板保持部２１５１には先端基板固定部材２１５を貫通する先端開口２１５３と、ＬＥＤ基板４１０の先端部を係止する複数の先端基板係止突部２１５２が形成されている。このような構成により、ＬＥＤ基板４１０の先端部は複数の先端基板係止突部２１５２に挟み込まれてしっかりと保持されるので、携帯ライト１を使用者が振り回した際でも、ＬＥＤ基板４１０が透明筒状部材２１０の内壁に接触して故障することを確実に防いでいる。
【００２７】
また、図６のＡ部拡大斜視図に示されるように、本実施形態ではＬＥＤ基板４１０の先端部に側面発光型の先端ＬＥＤ４１５が配置され、当該先端ＬＥＤ４１５から上方に向けて発せられた光は、先端基板固定部材２１５の先端開口２１５３を通じて、筒先端カバー部材２４０の裏側を照らすように構成されている。これにより、前述したように、筒先端カバー部材２４０の外表面に描かれたキャラクタの絵柄が、クッキリと外部から視認できるようになっている。
【００２８】
［筒先端カバー部材２４０の交換について］
また、本実施形態の前述した筒先端カバー部材２４０は、着脱可能に構成され、様々な形状や絵柄を有する部材に取り替えることが可能となっている。
【００２９】
図７には、前述の筒先端カバー部材２４０を取り外して、筒先端装飾部５００を設けた携帯ライト１の正面斜視図が図示されている。さらに、図８の斜視図に示されるように、前述の実施形態で取り付けられていた筒先端カバー部材２４０に代えて、筒先端係合カバー部材５１０が透明筒状部材２１０の先端に取り付けられるように構成されている。
【００３０】
また、図９の分解斜視図に示されるように、本実施形態の筒先端係合カバー部材５１０は、中央部分に先端装飾部材５２０を係止するための先端装飾係止孔５１２が形成されており、図１０の斜視図に示されるように、先端装飾部材５２０に形成された先端装飾係合部５２１を先端装飾係止孔５１２に挿入し、図１１の斜視図に示される態様で先端装飾部材５２０を９０度回転させることにより、先端装飾部材５２０と筒先端係合カバー部材５１０とが係止されるように構成されている。そして、前述の第１実施形態と同様、図７の斜視図に示される態様で透明筒状部材２１０の先端部に筒先端係合カバー部材５１０取り付けられている。
【００３１】
また、図８、図１１等に示されるように、本実施形態の筒先端係合カバー部材５１０の透明筒状部材２１０との嵌合部分には、カバー位置決め突起５１１が、上記先端装飾部材５２０の正面側と背面側に対応する位置に形成されており、図５の分解斜視図に示される、透明筒状部材２１０の先端カバー嵌合凹部２１１に形成された位置決め突起係止部５１３に係止されるように構成されている。これにより、携帯ライト１の正面と先端装飾部材５２０の正面とが一致するようになっている。
【００３２】
続いて、本実施形態の先端装飾部材５２０の構成であるが、図９の分解斜視図に示されるように、本実施形態の先端装飾部材５２０は、透光性を有する樹脂から成る、第１装飾部材５２３Ａと第２装飾部材５２３Ｂとを互いに嵌め合わせることにより形成されており、その内部は中空となっている。また、第１装飾部材５２３Ａおよび第２装飾部材５２３Ｂの表面には、キャラクタの絵柄が描かれており、当該絵柄に対応する部分は透光性を有し、その他の部分は不透光の塗膜が施されている。このような構成により、先端装飾部材５２０の内部が照明されると、キャラクタの絵柄が発光して外部から視認できるように構成されている。
【００３３】
また、先端装飾部材５２０を構成する第１装飾部材５２３Ａおよび第２装飾部材５２３Ｂの下部には、前述したように、筒先端係合カバー部材５１０の先端装飾係止孔５１２に係止するための、第１装飾係合部５２１Aおよび第２装飾係合部５２１Ｂがそれぞれ一体的に形成されており、さらに、上記第１装飾部材５２３Ａと上記第２装飾部材５２３Ｂとを互いに嵌め合わせたときに、内部空間と通じる先端装飾開口５２２が形成されるように構成されている。
【００３４】
加えて、本実施形態のＬＥＤ基板４１０の正面側および背面側には、図１２の断面図に示されるよう、側面発光型の先端ＬＥＤ４１５が当該ＬＥＤ基板４１０の先端部に設けられている。このような構成により、先端ＬＥＤ４１５が発した光は、上記した先端装飾開口５２２を介して先端装飾部材５２０の内部空間を照らし、第１装飾部材５２３Ａおよび第２装飾部材５２３Ｂの表面に描かれたキャラクタの絵柄が発光して視認されるように構成されている。
【００３５】
以上、先端装飾部材５２０への交換態様等について説明したが、当該先端装飾部材５２０及び前述した筒先端カバー部材２４０は、共に棒状発光部２００の先端部に交換可能に設けられる特別装飾体を構成している。また、当該先端装飾部材５２０の形状は必ずしも円形に限られるものではなく、四角形など種々の形状とすることが可能である。また、上記実施形態では、先端装飾部材５２０と筒先端係合カバー部材５１０とを別体に構成して嵌合させる構成としたが、必ずしもこのような構成に限られるものではなく、先端装飾部材５２０と筒先端係合カバー部材５１０と一体に形成し、透明筒状部材２１０の先端に取り付けるようにすることも可能である。また上記した実施例では、筒先端カバー部材２４０及び先端装飾部材５２０の一部を透光可能に構成した例を説明したが、必ずしもこのような構成に限られるものではなく、例えば、筒先端カバー部材２４０及び先端装飾部材５２０を乳白色の部材で構成し、全体が透光するように構成することも可能である。
【００３６】
続いて、図１３および図１４には、主に把持部１００の分解斜視図が図示されている。図示されるように、本実施形態の把持部１００は、前方保護部材１４０と後方保護部材１５０とが嵌め合わされ、固定ビス１５１によって互いに固着されている。また、把持部１００の内部には、電源４３０として３本の単４乾電池と、当該電源４３０を保持する電源保持部材１９０と、ＬＥＤ４１１及び先端ＬＥＤ４１５の発光制御や、当該発光制御におけるモード変更（各種動作状態モード及び待機モード）など、使用者による操作受付を行う発光制御基板４２０と、当該発光制御基板４２０を支持する制御基板固定部材１８０と、ＬＥＤ基板４１０の下端部を支持する下端基板固定部材１７０とが図示されるように収容されている。
【００３７】
また、前方保護部材１４０と後方保護部材１５０とが嵌め合わされた把持部１００の上部には、図１３に示されるように環状装飾部材係止受け部１４２が形成され、環状装飾部材３００の内側に形成された環状装飾部材係止部３０１と係合することによって、環状の環状装飾部材３００が把持部１００に嵌め込まれるように構成されている。そして、環状装飾部材３００の前面側には、板状のキャラクタ形状を模した装飾部材３１０が装飾固定ビス３１２によって取り付けられ、さらに当該装飾部材３１０の前面側にはキャラクタに関する印刷が施された装飾プレート３１１が取り付けられている。
【００３８】
なお、本実施形態では装飾プレート３１１としてキャラクタが印刷されたシールを貼り付けるように構成されている。また、上記本実施形態では装飾部材３１０を装飾固定ビス３１２によって取り付けたが、必ずしもこのような固定方法に限定されるものではなく、周知の係止爪を装飾部材３１０に設け、環状装飾部材３００の前面側に係止するようにしてもよい。このような簡便な取付方法を採用することにより、種々異なるキャラクタ形状を有する装飾部材３１０を、簡単に交換することが可能となる。
【００３９】
続いて、図１５および図１６には、把持部１００内における各種部材の収容構成が斜視図で示され、図１１および図１２には、上記各種部材の分解斜視図が示されている。まず、電源保持部材１９０には電源４３０として３本の単４乾電池が保持されており、図１６等に示されるように、上記電源４３０から供給される電力を、当該電源保持部材１９０から電源ライン４２３を介して上方に位置する発光制御基板４２０に供給している。
【００４０】
また、電源保持部材１９０の上方には、発光制御基板４２０が配置され、当該発光制御基板４２０の前方側には、主にＬＥＤ４１１の発光制御を司る制御ＩＣ４２２と、携帯ライト１の使用者による第１操作ボタン１１０および第２操作ボタン１２０の操作に対応して操作受付を行う第１スイッチ４２１Ａおよび第２スイッチ４２１Ｂが配置されている。
【００４１】
さらに、上記発光制御基板４２０の上方には、制御基板固定部材１８０が配置され、下方にある発光制御基板４２０の一部と嵌合して、上記した前方保護部材１４０と後方保護部材１５０とによって所定に位置に保持されるように構成されている。より詳細に説明すると、制御基板固定部材１８０は、図１７および図１８の斜視図に示されるように、当該制御基板固定部材１８０を貫通する２つの制御基板嵌合凹部１８１が形成されており、当該制御基板嵌合凹部１８１に上記発光制御基板４２０の上端部に形成された２つの制御基板嵌合凸部４２５が嵌合するように構成されている。このように構成されることで、発光制御基板４２０を把持部１００内の所定の位置にしっかりと固定することが可能となっている。
【００４２】
また、上記制御基板固定部材１８０の上方には、下端基板固定部材１７０が配置され、上記した前方保護部材１４０と後方保護部材１５０とによって所定に位置に保持されるように構成されている。より詳細に説明すると、下端基板固定部材１７０は白色の樹脂によって成形されるとともに、図１７および図１８の斜視図に示されるように、当該下端基板固定部材１７０に傍出するＬＥＤ基板保持部１７１が形成され、さらにＬＥＤ基板保持部１７１の内側には上下に貫通する基板下配線挿通口１７２と、上記ＬＥＤ基板保持部１７１の内側面から突出する複数のＬＥＤ基板係止突部１７３が形成されており、後述するＬＥＤ基板４１０の下端部を上記複数のＬＥＤ基板係止突部１７３によって挟み込んで係止するように構成されている。このような構成により、ＬＥＤ基板４１０から延びる制御ハーネス４１２を基板下配線挿通口１７２に挿通させつつ、ＬＥＤ基板４１０を把持部１００内の所定の位置しっかりと固定することが可能となり、また、白色で成形されることによりＬＥＤ４１１から発する光を効率的に反射するように構成されている。
【００４３】
次に、本実施形態におけるＬＥＤ基板４１０の構成について説明する。本実施形態で使用されるＬＥＤ基板４１０は、例えば、図１３の正面斜視図及び図１４の背面斜視図に図示されるように、正面側と背面側に、それぞれ６個のＲＧＢＬＥＤ（ＬＥＤ４１１）と、１個の側面発光型ＲＧＢＬＥＤ（先端ＬＥＤ４１５）とが設けられており、加えてＬＥＤ基板４１０の背面側には２つの制御ドライバ４１４が設けられている。
【００４４】
図１９に示されるように、本実施形態では制御ドライバ４１４の放熱用パッド（金属パッドＦＰ）を９個のスルーホールが配置された部品下のランド部にハンダ付けし、裏面のＧＮＤパターン（図２０の−ＢＡのパターン）に接続されることによって、放熱効果を高める処理が施されている。すなわち、制御ドライバ４１４はシンク（吸い込み）タイプであり、各ＬＥＤ４１１に流れる電流を吸い込むことにより発熱するため、当該制御ドライバ４１４の発熱を、ＥＰａｄ用ランドパターンＥＰを介して裏面のＧＮＤパターン（図２０の−ＢＡのパターン）に熱を逃し、基板全体で放熱することが可能となっている。なお、本実施形態では上記したように放熱用パッド（金属パッドＦＰ）と部品下のランド部をハンダ付けしたが、放熱用パッド（金属パッドＦＰ）と部品下のランド部が接触して放熱することが可能であれば、必ずしもハンダ付けを要するものではない。
【００４５】
さらに、図２０にはＬＥＤ基板４１０の部分拡大図が図示されているが、ＬＥＤ基板４１０の正面側に配置される各ＬＥＤ４１１と、背面側に配置される各ＬＥＤ４１１は重ならないように配置され、ＬＥＤ４１１の真後ろには発熱するような部品が設けられないように構成されている。本実施例では、図２０に実線で図示されている「ＬＥＤ４１１」と、その横に破線で図示されているＬＥＤ４１１（裏面側）のように、ＬＥＤ基板４１０の中心線に対して互いのＬＥＤ４１１が左右にずらすことにより、基板を挟んでＬＥＤ４１１が重ならないように配置されている。すなわち、発熱部品どうしを基板を挟んで重なった状態で配置すると、自身の発熱と、重なって配置した部品の発熱とで、さらに温度が上昇し、部品の耐熱温度を超えることにより部品が故障したり部品の寿命が短くなったりするリスクがあるが、上記した構成のように、発熱部品どうしが重ならないように配置することによって、部品の故障リスクや寿命が短くなるなどのリスクを低減することができる。
【００４６】
また、本実施形態では、図１９、図２０等に示されるように、制御ドライバ４１４をＬＥＤ基板４１０に対して４５度傾けて配置するよう構成されている。このような構成により、制御ドライバ４１４からの配線の引き回しが容易になるとともに、制御ドライバ４１４の左右に、配線スペースを多く確保する必要がなくなることから、ＬＥＤ基板４１０幅（W）を縮小することが可能となっている。
【００４７】
また、本実施形態では、図１９、図２０等に示されるように、各ＬＥＤ４１１のランドを、可能な範囲で通常のランドよりも大きく形成しており、これにより、各ＬＥＤ４１１の放熱効果が高められるように構成されている。
【００４８】
また、本実施形態のＬＥＤ基板４１０のレジスト塗布面４４２は、通常の緑色や黒色のレジストよりも反射効率が良く、ＬＥＤ４１１が発するどのような発光色に対しても高い反射効率を発揮する白色のレジストがベタ塗りされている。このような構成により、ＬＥＤ４１１の発光による前方側への反射率を高めることができるようになっている。
【００４９】
加えて、ＬＥＤ基板４１０のレジスト塗布面４４２にベタ塗りされた上記白色のレジストの表面には、図２０に示されるように「ＬＥＤ１１」や「ＬＥＤ１２」などの部品記号４４１のほか、図示しない部品の実装箇所を示す枠線、基板管理番号、チェック端子や、その他指示や注意事項の文字やマークなどが、黄色に塗料によってシルク印刷されている。色彩拡散面の反射率としては白色が最も高く、次いで黄色の反射率が高い。したがって、ＬＥＤ４１１が発する光を高効率で反射することができるとともに、適切に上記部品記号４４１などを認識することが可能となっている。また、白色のレジスト塗布面４４２がリフレクタのような役割を果たし、光拡散シート２３０を介して点光源を見え難くすることが可能となる。
【００５０】
さらに、ＬＥＤ基板４１０の背面側下端部付近には、図１８の背面斜視図に示されるように、制御ハーネス４１２が設けられ、その先端に設けられたハーネス端子４１３が発光制御基板４２０の背面に設けられた基板コネクタ４２４に接続されている。このような構成により、制御ハーネス４１２を介して発光制御基板４２０から送信された制御信号などにより、当該制御信号に応じた発光態様で各ＬＥＤ４１１が発光するように構成されている。
【００５１】
また、図２１（ａ）の回路図には、ＬＥＤ基板４１０における制御ＩＣ４２２と各制御ドライバ４１４との接続態様が図示されている。本実施形態では、発光制御基板４２０に設けられた基板コネクタ４２４に対し、ハーネス端子４１３を抜き差しすることによって、静電気による部品破壊や信号線からの輻射ノイズ、電流ループによるノイズ等を防止するため、図示されているＲ１、Ｒ２、Ｒ３の各抵抗器を搭載可能となっている。なお、本実施形態では抵抗が実装される部位（パッド）を設け、パッド間には、ジャンパー配線が接続されており、上記各抵抗器Ｒ１、Ｒ２、Ｒ３を設ける場合には、ジャンパー配線の接続を削って各抵抗器を実装することが可能である。
【００５２】
加えて、図２１（ａ）の回路図にも示されるように、ＬＥＤ基板４１０に対して５本の信号線からなる制御ハーネス４１２が接続され、その先端には基板コネクタ４２４と接続するためのハーネス端子４１３が設けられている。そして、当該ハーネス端子４１３は図２１（ｂ）に示されるように、信号線の数より１つ多い６ピン対応の端子で構成され、６ピン目には信号線が接続されていない。
【００５３】
また、発光制御基板４２０に設けられる基板コネクタ４２４も、図２１（ｂ）の回路図に示されるように、６ピンのコネクタによって構成されており、そのうち、図示１〜５のピンは上記ＬＥＤ基板４１０と電気的に接続され、図示６のピンはハーネス端子４１３と接続されるものの、上記（ハーネス端子４１３の６ピン目には信号線が接続されていない。）したように、ＬＥＤ基板４１０とは電気的に接続されない構成となっている。このような構成により、電気的に接続されていなくても、ハーネス端子４１３と基板コネクタ４２４とが接続されることにより、基板コネクタ４２４の空きピン（図示６のピン）が折り曲がってしまったり、誤接続されてしまうことを防止することが可能となっている。
【００５４】
また、本実施形態の制御ＩＣ４２２は所謂ＰＩＣ（登録商標）マイコンから成り、ＰＩＣマイコンに記憶された制御データ、プログラムの書き換えを行うことで、予め定められた発光態様や制御を変更したり、さらに追加することが可能となっている。書き換えを行う際は、図２１（ｂ）に示されるように、基板コネクタ４２４に、プログラムライタ端子７００を接続して、外部装置による書き換え操作を行うことで、書き換えが可能となっている。以上のような特徴的な構成により、１つの基板コネクタ４２４で、ＰＩＣマイコンの書き換えと、ＬＥＤ基板４１０に対する発光制御を行うことが可能となっている。なお、制御ＩＣ４２２は上記ＰＩＣマイコンに限らず、他社製のマイクロコントローラを使用することも可能である。
【００５５】
［発光制御の態様について］
続いて、本実施形態における発光制御について、その一例を以下に説明する。本実施形態の携帯ライト１は、常時、制御ＩＣ４２２に通電されており、第１操作ボタン１１０と第２操作ボタン１２０とを同時に押すことによって、発光制御の動作状態モードと待機モードとが切り替えられるように構成され、動作状態モードへ移行後、第１操作ボタン１１０または第２操作ボタン１２０を操作することによって、予め記憶された複数種類の発光パターンを選択・設定して発光させることが可能となっている。つまり、制御ＩＣ４２２内のＣＰＵには常時通電されているものの、待機モード（所謂スリープモード）に移行することによってＣＰＵは機能を停止するので、使用電力自体はわずかとなっている。
【００５６】
また、本実施形態の携帯ライト１は、発光制御によって「アニメーション発光」を行わせることが可能となっている。すなわち、複数のＬＥＤ４１１における各発光態様を経時的に変化させて、動的な発光演出を可能とするものであり、ＰＩＣマイコンに記憶された発光制御情報に基づいて、第１操作ボタン１１０及び第２操作ボタン１２０を操作することにより、後述するような種々の発光態様の変更・設定が可能となっている。
【００５７】
図２２には、本実施形態における発光制御の操作態様の一例が一覧表で示されている。すなわち、表中の「制御状態」は、制御ＩＣ４２２における各動作状態モード及び待機モードを示し、「第１操作ボタン１１０」及び「第２操作ボタン１２０」における操作態様として、「（−）」は「操作無し」、「ＯＮ」は１００ｍｓ以上「押し操作」が検出された場合に対応しており、「ＬＯＮＧ」は１秒以上押し操作が検出された場合すなわち「長押し操作」に対応している。
【００５８】
また、「ＴＲＩＧ」は押し操作が検出されなくなったタイミングすなわち「一度押して離したタイミング」を示している。これは、例えば、「通常モード」中に「第１操作ボタン１１０」を押して「赤色」を点灯させ、当該「赤色」の明るさを調整するために「第１操作ボタン１１０」を「長押し（「ＬＯＮＧ」）した場合、次の色の種類に変わってしまって、調整したい色（「赤色」）の明るさ調整ができないという不都合を回避するために、「ＴＲＩＧ」は操作ボタンを「一度押して離したタイミング」を変更タイミングとしている。以上のような各検知状態に応じた発光態様や制御状態の移行態様が図２２には一覧表で記載されている。なお、上記した「ＯＮ信号」の検知時間は「１００ｍｓ」や「１秒」に特に限定されるものではなく、適宜、任意の時間を設定することが可能である。
【００５９】
図２２に示されるように、ＬＥＤ４１１が消灯され、待機モードである状態から、「第１操作ボタン１１０」及び「第２操作ボタン１２０」を同時に押すことにより、動作状態モードが起動し、「通常モード」となってＬＥＤ４１１が発光する。一方で待機モード中に「第２操作ボタン１２０」の「長押し操作」が検知されると、「カスタムモード」へ移行してＬＥＤ４１１が点滅する。当該「カスタムモード」では、複数のＬＥＤ４１１に対して、例えば「赤」→「ピンク」→「黄」の繰り返し点灯パターンによるアニメーション発光を使用者の好みに応じて設定できるモードであり、「第１操作ボタン１１０」で色選択をし、次に「第２操作ボタン１２０」で決定する。これを繰り返して最終的に「第２操作ボタン１２０」を「長押し操作」することにより、自身の好みの発光色順序を設定してアニメーション発光させることが可能となっている。なお、上記実施の形態に限定されるものではなく、予め設定記憶されている発光色順序を使用者が選択できるように構成してもよい。
【００６０】
続いて、本実施形態では、「通常モード」状態中に、「第１操作ボタン１１０」又は「第２操作ボタン１２０」を「長押し操作」することにより、「調整モード」へ移行するよう構成されている。具体的には、使用者が調整したい「発光色」または「アニメーション発光」を棒状発光部２００において発光させている状態で、「第１操作ボタン１１０」又は「第２操作ボタン１２０」を「長押し操作」することにより、当該発光させている「発光色」または「アニメーション発光」に関する調整を可能としている。当該「調整モード」では、「第１操作ボタン１１０」を押すことにより、単色で発光している全ＬＥＤ４１１の発光色や、その明るさ（輝度）を調整したり、アニメーション発光の場合はその発光速度を調整したりすることが可能となっている。そして、「第１操作ボタン１２０」を「長押し操作」することにより、自身の好みに合わせた明るさや、発光色の変移速度（ある色から異なる色への変更タイミング）を設定することが可能である。なお、本実施形態の「アニメーション発光」は「赤」、「ピンク」、「黄」、「白」、「緑」、「青」の計６色からなり、各ＬＥＤ４１１における発光色の変移速度を設定することが可能となっている。また、発光色は上記６色に限られるものではなく、最大３０色まで色の順番（配色パターン）を自由に設定する機能を設けることも可能である。さらに、各ＬＥＤ４１１における発光色を全て単一色とし、各ＬＥＤ４１１における明るさ（輝度）を異ならせつつ、各ＬＥＤ４１１における明るさ（輝度）を経時的に変化させるようなアニメーション発光を行うことも可能である。
【００６１】
以上、各動作状態モードにおける操作態様を説明したが、各動作状態モードとも、「第１操作ボタン１１０」及び「第２操作ボタン１２０」を同時に「長押し操作」することにより、待機モードに移行するように構成されている。また、上記した実施形態に限るものではなく、複数の設定モードを用意し、様々な発光態様を設定できるように構成してもよい。
【００６２】
以下では、本実施形態における発光態様の一実施例について、より具体的に説明する。本実施形態の携帯ライト１は、前述したように１つのＬＥＤ基板４１０の正面側と背面側に、それぞれ６個のＲＧＢＬＥＤ（ＬＥＤ４１１）が等間隔に設けられており、本実施形態の各ＬＥＤ４１１は、「赤」、「ピンク」、「黄」、「白」、「緑」、「青」の計６色を発光するように構成されている。本実施形態では、ＬＥＤ基板４１０に配置される１２個のＬＥＤ４１１を全て単色で点灯する発光パターンが記憶されており、第１操作ボタン１１０または第２操作ボタン１２０を操作することにより、６種類（６色）の発光パターンが選択できるように構成されている。なお、発光態様として点灯だけでなく、点滅するようにすることも可能である。
【００６３】
また、発光パターンとして、複数色を同時に発光させることも可能であり、例えば、正面側の６個のＬＥＤ４１１を「青」で発光させ、背面側の６個のＬＥＤ４１１を「赤」で発光させることも可能であり、棒状発光部２００を見る角度によって発光色が異なって見えるように構成されている。もちろん「赤」と「青」の組み合わせに限られるものではなく、他の発光色を組み合わせてもよい。さらに、全１２個のＬＥＤ４１１のうち、把持部１００側の６個のＬＥＤ４１１と、筒先端カバー部材２４０側の６個のＬＥＤ４１１とで異なる色を発光させることも可能である。また、発光態様として点灯だけでなく、点滅するようにすることも可能である。
【００６４】
さらに、「赤」、「ピンク」、「黄」、「白」、「緑」、「青」の計６色を全て発光させることも可能であり、例えば、正面側の６個のＬＥＤ４１１と背面側の６個のＬＥＤ４１１において、把持部１００側から「赤」、「ピンク」、「黄」、「白」、「緑」、「青」の６色を発光させることにより実現することができる。なお、発光態様として点灯だけでなく、点滅するようにすることも可能である。
【００６５】
また、本実施形態の携帯ライト１は、前述したように「アニメーション発光」させることが可能となっており、複数のＬＥＤ４１１による動的な発光演出が可能となっている。その一例として、本実施形態の携帯ライト１では、特定の発光色が棒状発光部２００の延長方向に移動しているかのように発光させることが可能となっている。すなわち、正面側の６個のＬＥＤ４１１および背面側の６個のＬＥＤ４１１に、把持部１００側からそれぞれ、「赤」、「ピンク」、「黄」、「白」、「緑」、「青」で点灯させ、その後、所定時間間隔で、［←「赤」←「ピンク」←「黄」←「白」←「緑」←「青」←］とする発光順序にもとづいて、各ＬＥＤ４１１が発光制御されている。このような発光制御により、各ＬＥＤ４１１で発光している発光色が、棒状発光部２００において把持部１００側から筒先端カバー部材２４０側へと移動しているように視認させることが可能となっている。
【００６６】
また、「アニメーション発光」よる別の例では、全てのＬＥＤ４１１が消灯している状態から、順次、把持部１００側から筒先端カバー部材２４０側へとＬＥＤ４１１を点灯するようにしたり、逆に、点灯状態にあるＬＥＤ４１１を、筒先端カバー部材２４０側から把持部１００側へと順次消灯させることによって、棒状発光部２００において、光が伸びたり縮んだりする態様を発光演出することも可能である。さらに別の例では、全てのＬＥＤ４１１で単色の発光がなされ、把持部１００側から筒先端カバー部材２４０側へ、順次輝度が上昇（又は下降）するような動きのあるアニメーション発光を行うことも可能である。なお、本実施形態では基準となる輝度から±２段階、計５種類の輝度を設定することが可能であり、棒状発光部２００の延長方向において発光輝度によるグラデーションを形成することが可能である。
【００６７】
以上、本実施形態における発光態様の一実施例を説明したが、発光色の種類や、点滅速度、発光色の変移速度のほか、どのような位置に配置されたＬＥＤ４１１にどのような色で発光させるのか等は、様々に設定・制御することが可能であり、制御ＩＣ４２２に複数種類の発光パターンを記憶させることにより、使用者は第１操作ボタン１１０または第２操作ボタン１２０を操作して好みの発光パターンを選択することができる。
【００６８】
［別実施形態１］
以上、本実施形態について説明したが、以下では別実施形態として、本発明の第２実施形態（携帯ライト１１）について図２３〜図２５に基づいて説明する。
【００６９】
図２３には、本発明の第２実施形態における把持部１００の正面斜視図が図示されている。本実施形態は、前述の実施形態とは異なり、棒状発光部２００の内部にＬＥＤ基板４１０を配置するものではなく、把持部１００の内部で発光された光を棒状発光部２００の内部に照射するように構成したものである。そして、把持部１００の上方には、図示されるようにリフレクタ部材６００が設けられている。
【００７０】
また、図２４および図２５には、本実施形態における把持部１００の分解斜視図が示されている。図示されるように、本実施形態では前述した各実施形態とは異なり、制御基板固定部材１８０に代えてＬＥＤ搭載制御基板固定部材６４０が発光制御基板４２０の上方に配置されている。より詳細に説明すると、ＬＥＤ搭載制御基板固定部材６４０は、図２５の分解斜視図に示されるように、当該ＬＥＤ搭載制御基板固定部材６４０を貫通する２つの制御基板嵌合凹部１８１が形成されており、当該制御基板嵌合凹部１８１に発光制御基板４２０の上端部に形成された２つの制御基板嵌合凸部４２５が嵌合するように構成されている。このように構成されることで、発光制御基板４２０を把持部１００内の所定の位置にしっかりと固定することが可能となっている。
【００７１】
加えて、ＬＥＤ搭載制御基板固定部材６４０は回路基板により構成されるとともに、その中央部には１つのＬＥＤ発光体６４２が設けられている。そして、２つの制御基板嵌合凹部１８１にはそれぞれＬＥＤ発光体６４２を発光制御するため、図示しない電極が設けられており、２つの制御基板嵌合凸部４２５に設けられた電極４２６と嵌合して接続されることによって、制御ＩＣ４２２によるＬＥＤ発光体６４２の発光制御が行われるように構成されている。なお、本実施形態では、ＬＥＤ発光体６４２としてＲＧＢＬＥＤが使用されている。
【００７２】
続いて、上記したＬＥＤ搭載制御基板固定部材６４０の上部には、上記ＬＥＤ発光体６４２を挿通させることが可能な発光体挿通孔６３２と、後述するリフレクタ部６２０を設置するためのリフレクタ設置部６３１とを備えたリフレクタ設置基板６３０が設けられている。そして、リフレクタ設置部６３１には、図２５に示されるように、上記ＬＥＤ発光体６４２を挿通させることが可能な発光体設置開口部６２１と、反射鏡からなるリフレクタ部６２０と、棒状発光部２００の内部に光を拡散して照射する拡散レンズ６１０とを備えたリフレクタ部材６００が設置されている。
【００７３】
リフレクタ部材６００から照射された光は、前述の第１実施形態と同様、棒状発光部２００の内部に配置された光拡散シート２３０に照射され、当該棒状発光部２００がＬＥＤ発光体６４２の発光態様に応じて発光するように構成されている。
【００７４】
以上のような第２実施形態による携帯ライト１１では、コストダウンによる大幅な仕様の変更が必要となった場合であっても、ＬＥＤ搭載制御基板固定部材６４０やリフレクタ部材６００以外の部材をそのまま利用することが可能となり、製造コストを削減することが可能となる。
【００７５】
［別実施形態２］
以下では別実施形態として、本発明の第３実施形態（携帯ライト１２）について図２６及び図２７に基づいて説明する。
【００７６】
図２６及び図２７には、本実施形態における棒状発光部２００の内部構造が斜視図で図示されている。本実施形態は、棒状発光部２００の内部に３つのＬＥＤ基板４１０を配置したことを特徴とするものである。すなわち、図２７に示されるように、棒状発光部２００の内部に、第１ＬＥＤ基板４１０Ａと第２ＬＥＤ基板４１０Ｂと第３ＬＥＤ基板４１０Ｃとが互いに背中合わせに配置され、各ＬＥＤ基板に設けられたＬＥＤ４１１が３方向に向けて発光するように構成されている。
【００７７】
また、図２６に示されるように、各ＬＥＤ基板を固定するため、第１実施形態で使用した先端基板固定部材２１５に代わって、先端複数基板固定部材２１５Ａが配置されている。より詳細に説明すると、当該先端複数基板固定部材２１５Ａの下方側には、第１ＬＥＤ基板４１０Ａ、第２ＬＥＤ基板４１０Ｂ、第３ＬＥＤ基板４１０Ｃのそれぞれに対応して各ＬＥＤ基板の上端部が嵌合される、第１基板嵌合凹部２１５４、第２基板嵌合凹部２１５５、第３基板嵌合凹部２１５６がそれぞれ図示されるように形成されている。
【００７８】
また、図２７に示されるように、各ＬＥＤ基板を固定するため、第１実施形態で使用した下端基板固定部材１７０に代わって、下端複数基板固定部材１７０Ａが配置されている。より詳細に説明すると、当該下端複数基板固定部材１７０Ａの上方側には、前述した第１ＬＥＤ基板４１０Ａ、第２ＬＥＤ基板４１０Ｂ、第３ＬＥＤ基板４１０Ｃのそれぞれに対応して各ＬＥＤ基板の下端部が嵌合される、第１基板下端嵌合凹部１７０１、第２基板下端嵌合凹部１７０２、第３基板下端嵌合凹部１７０３がそれぞれ図示されるように形成されている。上記したように、各ＬＥＤ基板は上端部および下端部がしっかりと固定されているため、使用者が携帯ライト１２を振り回したとしても、各ＬＥＤ基板は棒状発光部２００の内壁に接触することなく安定して発光することが可能である。
【００７９】
［その他の変形例］
以上、本発明の各実施形態について説明した。しかし、言うまでもなく、各実施形態は必ずしも単独で実施されるものではなく、上記各実施形態を組み合わせて実施することが可能である。例えば、別実施形態として説明した第２実施形態及び第３実施形態を当初説明した本実施形態に組み合わせることも可能であり、例えば、第１ＬＥＤ基板４１０Ａ、第２ＬＥＤ基板４１０Ｂ、第３ＬＥＤ基板４１０Ｃに囲まれた上端部位置に、上方に向けて発光する側面発光型のＬＥＤを設けることで、先端装飾開口５２２を介して先端装飾部材５２０の内部空間を照らし、第１装飾部材５２３Ａおよび第２装飾部材５２３Ｂの表面に描かれたキャラクタの絵柄を発光させるように構成することも可能である。
【００８０】
また、前述した実施形態では、複数の発光体ＬＥＤ４１１が搭載されたＬＥＤ基板４１０を棒状発光部２００の内部に収容する構成について示したが、複数の発光体ＬＥＤ４１１については必ずしも基板に搭載する必要はなく、把持部内に制御ドライバ４１４を搭載した基板を設け、複数の発光体ＬＥＤ４１１のみが配線を介して棒状発光部２００の内部に配置されるように構成してもよい。
【００８１】
また、前述した実施形態では、円筒形状の棒状発光部２００を有する携帯ライト１の実施例について説明したが、必ずしも発光部は棒状に限られるものではなく、球形状や星形状、アーチ形状、ループ形状等、他の立体形状からなる発光部を採用してもよい。
【００８２】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００８３】
すなわち、本発明の範囲は、上記した実施形態の説明ではなく特許請求の範囲によって示され、さらに特許請求の範囲と均等の意味および範囲内でのすべての変更が含まれる。また、上記実施例に記載された具体的な数値範囲、デバイスの寸法形状・機能等は本発明の課題を解決する範囲において、変更が可能である。
【符号の説明】
【００８４】
１        携帯ライト（本実施形態）
１１      携帯ライト（第２実施形態）
１２      携帯ライト（第３実施形態）
１００    把持部
１１０    第１操作ボタン
１２０    第２操作ボタン
１３０    ストラップ孔
１４０    前方保護部材
１４１    前方嵌合溝部
１４２    環状装飾部材係止受け部
１５０    後方保護部材
１５１    固定ビス
１５２    排熱口
１５３    後方嵌合溝部
１６０    電源保護カバー部材
１７０    下端基板固定部材
１７０Ａ  下端複数基板固定部材
１７０１  第１基板下端嵌合凹部
１７０２  第２基板下端嵌合凹部
１７０３  第３基板下端嵌合凹部
１７１    ＬＥＤ基板保持部
１７２    基板下配線挿通口
１７３    ＬＥＤ基板係止突部
１８０    制御基板固定部材
１８１    制御基板嵌合凹部
１８２    配線挿通口
１９０    電源保持部材
２００    棒状発光部
２１０    透明筒状部材
２１１    先端カバー嵌合凹部
２１２    左側筒構成部材
２１３    基板固定部材係止部
２１４    右側筒構成部材
２１５    先端基板固定部材
２１５Ａ  先端複数基板固定部材
２１５１  先端基板保持部
２１５２  先端基板係止突部
２１５３  先端開口
２１５４  第１基板嵌合凹部
２１５５  第２基板嵌合凹部
２１５６  第３基板嵌合凹部
２１６    嵌合突条部
２１８    筒係合突起
２１９    先端カバー係止開口
２３０    光拡散シート
２４０    筒先端カバー部材
２４１    先端カバー係止突部
３００    環状装飾部材
３０１    環状装飾部材係止部
３１０    装飾部材
３１１    装飾プレート
３１２    装飾固定ビス
３２０    嵌合溝部
４１０    ＬＥＤ基板
４１０Ａ  第１ＬＥＤ基板
４１０Ｂ  第２ＬＥＤ基板
４１０Ｃ  第３ＬＥＤ基板
４１１    ＬＥＤ
４１２    制御ハーネス
４１３    ハーネス端子
４１４    制御ドライバ
４１５    先端ＬＥＤ
４２０    発光制御基板
４２１Ａ  第１スイッチ
４２１Ｂ  第２スイッチ
４２２    制御ＩＣ
４２３    電源ライン
４２４    基板コネクタ
４２５    制御基板嵌合凸部
４３０    電源
４４０    ランド
４４１    部品記号
４４２    レジスト塗布面
５００    筒先端装飾部
５１０    筒先端係合カバー部材
５１１    カバー位置決め突起
５１２    先端装飾係止孔
５１３    位置決め突起係止部
５２０    先端装飾部材
５２１    先端装飾係合部
５２１Ａ  第１装飾係合部
５２１Ｂ  第２装飾係合部
５２２    先端装飾開口
５２３Ａ  第１装飾部材
５２３Ｂ  第２装飾部材
６００    リフレクタ部材
６１０    拡散レンズ
６２０    リフレクタ部
６２１    発光体設置開口部
６３０    リフレクタ設置基板
６３１    リフレクタ設置部
６３２    発光体挿通孔
６４０    ＬＥＤ搭載制御基板固定部材
６４２    ＬＥＤ発光体
７００    プログラムライタ端子
【図１】
2020077459.tif 000003
【図２】
2020077459.tif 000004
【図３】
2020077459.tif 000005
【図４】
2020077459.tif 000006
【図５】
2020077459.tif 000007
【図６】
2020077459.tif 000008
【図７】
2020077459.tif 000009
【図８】
2020077459.tif 000010
【図９】
2020077459.tif 000011
【図１０】
2020077459.tif 000012
【図１１】
2020077459.tif 000013
【図１２】
2020077459.tif 000014
【図１３】
2020077459.tif 000015
【図１４】
2020077459.tif 000016
【図１５】
2020077459.tif 000017
【図１６】
2020077459.tif 000018
【図１７】
2020077459.tif 000019
【図１８】
2020077459.tif 000020
【図１９】
2020077459.tif 000021
【図２０】
2020077459.tif 000022
【図２１】
2020077459.tif 000023
【図２２】
2020077459.tif 000024
【図２３】
2020077459.tif 000025
【図２４】
2020077459.tif 000026
【図２５】
2020077459.tif 000027
【図２６】
2020077459.tif 000028
【図２７】
2020077459.tif 000029